(57)【要約】【課題】これまで捨てられていた噴射防止ガードの有効利用を図り、より機能性の高いエアゾール製品を提供する。【解決手段】本容器本体１０とその容器本体開口部に固着されるエアゾールバルブ１１とからなるエアゾール容器Ａと、前記エアゾールバルブ１１に装着される噴射部４４の押動を規制するための、ガード１５と、エアゾール容器Ａ内に充填した殺虫剤とを有する。ガード１５はピンセットの形態を備えており、噴射部４４の押動を規制する機能と同時に、虫の死骸を摘むためのピンセットとして機能する。【選択図】　図１
2004113994.tif 000002
【特許請求の範囲】
【請求項１】
容器本体と該容器本体開口部に固着されるエアゾールバルブとからなるエアゾール容器と、該エアゾール容器に充填される内容物と、前記エアゾールバルブに装着される噴射部材と、該噴射部材の近辺に取り外し可能に設けられた、噴射部材の操作を規制するためのガードとを有し、前記ガードが内容物と関連する機能を有するエアゾール製品。
【請求項２】
エアゾール容器の頭部に装着される保護部材をさらに有し、前記ガードがその保護部材に取り外し可能に装着されている、請求項１記載のエアゾール製品。
【請求項３】
前記ガードが可撓性を有するコ字型の部材である請求項１記載のエアゾール製品。
【請求項４】
前記ガードが板状を呈している請求項１記載のエアゾール製品。
【請求項５】
前記エアゾール容器またはその近辺に、前記ガードを脱着自在に保持する手段が設けられている請求項１、２、３または４のいずれかに記載のエアゾール製品。
【請求項６】
前記ガードの処理部が保護部材内に収納されている請求項２記載のエアゾール製品。
【発明の詳細な説明】
【０００１】
【発明の属する技術分野】
本発明はエアゾール製品に関する。さらに詳しくは、誤噴射防止のためのガードを備えたエアゾール製品に関する。
【０００２】
【従来の技術】
商品陳列時など、未使用のエアゾール製品は誤使用防止のために噴射部材全体をカバーするキャップを装着している。しかしエアゾール製品によっては、噴射部材とキャップとを一体に成型したワンタッチキャップを装着したものがあり、この場合、噴射部材の周囲はキャップにより覆われているが、噴射部材の天面（操作部）は外部に露出している。そのため未使用時に誤って噴射されないように製品全体をシュリンクフィルムなどの透明フィルムで覆っているが、このフィルムは買い物カゴに入れた時など、カゴのフレームなどにより容易に突き破られ、誤って噴射ボタンが押され、内容物が意図に反して噴射されてしまうなどの不具合がある。従来これを解決するために、噴射ボタンの作動を規制するガードをワンタッチキャップに一体成形で設けていた。
【０００３】
前記ガードは、使用時に切り取り可能となるように、ワンタッチキャップとガードの境目にはミシン目状の切れ込みが入れられ、使用時にその切れ込みに沿ってガード部分を切り離して使用するため、切り取ったガードは捨てられている。
【０００４】
さらに該ガードは一旦、ガードを取り外すと再び取り付ける手段がなく、その後はガードなしで使用されるので、意図に反する噴射や子供などによるいたずらなどを防止することができない。
【０００５】
【発明が解決しようとする課題】
本発明は、これらの問題に鑑みてなされたものであり、誤使用を防止することができ、機能性を持たせたガードを備えたエアゾール製品を提供することを技術課題とするものである。
【０００６】
【課題を解決するための手段】
本発明のエアゾール製品は、容器本体と該容器本体開口部に固着されるエアゾールバルブとからなるエアゾール容器と、該エアゾール容器に充填される内容物と、前記エアゾールバルブに装着される噴射部材と、該噴射部材の近辺に取り外し可能に設けられた、噴射部材の操作を規制するためのガードとを有し、前記ガードが内容物と関連する機能を有することを特徴とする（請求項１）。
【０００７】
このようなエアゾール製品では、エアゾール容器の頭部に装着される保護部材をさらに有し、前記ガードがその保護部材に取り外し可能に装着されているものが好ましい（請求項２）。
【０００８】
また前記ガードは可撓性を有するコ字型の部材とすることが好ましい（請求項３）。さらに前記ガードは板状を呈するものとしてもよい（請求項４）。前記エアゾール容器またはその近辺に、前記ガードを脱着自在に保持する手段を設けるのがさらに好ましい（請求項５）。そして前記ガードの処理部（面）は保護部材内に収納するのが好ましい（請求項６）。
【０００９】
【作用および発明の効果】
本発明のエアゾール製品（請求項１）では、未使用時には、ガードが噴射部材の操作を規制するように設けられているので、噴射部材が意図に反して操作されるのを防止することができる。さらにエアゾール製品使用時には、その前記ガードをエアゾール製品に対応する機能に基づいて使用することができる。したがって従来は捨てられたり、使われなかった部材を有効活用することができる。
【００１０】
前記エアゾール容器に保護部材を装着し、該保護部材に前記ガードを取り外し可能に装着したエアゾール製品（請求項２）では、噴射部材の噴射孔が設けられている部分を除く、ほとんど全体を保護することができ、誤使用を防止する効果が高い。前記ガードが可撓性を有する部材でコ字型に形成されている場合は（請求項３）、取り外した後のガードをたとえばエアゾール製品が殺虫剤の場合、前記ガードの可撓性と形状を生かして使用後の虫の死骸を掃除するためのピンセットとして用いることができる。また消臭剤の場合は、ゴミ処理のためにピンセットとして使用することができる。また前記ガードが板状の部材で形成されている場合（請求項４）も、上記と同様に虫の死骸を掃除するためのヘラとして用いることができる。またエアゾール製品が整髪用に用いられ、前記ガードがクシの形態を有する場合は、取り外した後のガードをクシとして使うこともできる。
【００１１】
前記エアゾール容器またはその近辺に、ガードを脱着自在に保持する手段が設けられているエアゾール製品（請求項５）では、使用時（噴射操作する時）取り外したガードを噴射部材の操作の邪魔にならない箇所に保持することができるため、ガードを保持したままエアゾール製品を使用することができ、取り外した後の紛失を防ぐことができる。またエアゾール製品を使用しないとき（保管時）、そのガードの処理部（面）が保護部材内に収納されるエアゾール製品（請求項６）では、処理部（面）が外部に露出しないため手に触れることがなく衛生的である。
【００１２】
【発明の実施の形態】
つぎに図面を参照しながら本発明のエアゾール製品の実施形態を説明する。図１ａおよび図１ｂはそれぞれ本発明のエアゾール製品の一実施形態を示す平面図および正面図であり、図１ｃは図１ａのエアゾール製品に用いるガードの正面図である。図２ａおよび図２ｂはそれぞれ図１のエアゾール製品の未使用時の状態を示す平面図および側面図、図２ｃおよび図２ｄはそれぞれエアゾール製品の使用時の状態を示す平面図および正面図、図２ｅは図２ｃの部分拡大図である。図３ａおよび図３ｂはそれぞれ本発明のエアゾール製品の他の実施形態を示す側面断面図および正面図である。図４ａは本発明のエアゾール製品のさらに他の実施形態を示す側面図、図４ｂは図４ａに用いるガードの側面図、図４ｃは図４ａの部分背面図である。図５ａおよび図５ｂはそれぞれ本発明のエアゾール製品の他の実施形態における未使用時と使用時を示す平面図、図５ｃは未使用時のエアゾール製品に用いるガードの平面図である。図６ａは本発明のエアゾール製品の他の実施形態を示す斜視図、図６ｂはその部分的な断面図、図７ａは本発明のエアゾール製品のさらに他の実施形態を示す斜視図、図７ｂはその断面図である。図８ａおよび図８ｂはそれぞれ本発明のエアゾール製品に用いるガードのさらに他の実施形態を示す斜視図であり、図８ｃは本発明のエアゾール製品に用いるガードのさらに他の実施形態を示す平面図である。
【００１３】
図１および図１ｂに示すエアゾール製品は、容器本体１０とその容器本体の開口部に固着されるエアゾールバルブ１１とからなるエアゾール容器Ａと、そのエアゾール容器Ａの上端に装着される保護部材（ワンタッチキャップ）１２と、前記エアゾール容器Ａ内に充填されている内容物と、前記ワンタッチキャップ１２と一体に成形され、前記エアゾールバルブ１１のステムに装着されてエアゾールバルブの開閉を操作するための押しボタン（噴射部材）３０と、合成樹脂などの可撓性を有する材料でコ字型に形成されたガード１５と、噴射部材の先端に折りたたみ自在に設けられるノズル３２とを有する。
【００１４】
前記エアゾール容器Ａは従来公知のものを使用することができる。たとえば容器本体１０は、アルミニウムやブリキなどの金属、合成樹脂、耐圧ガラスなどからなる耐圧性を有する有底筒状の形態を有する公知のものを用いることができる。図１ｂに示す容器本体１０は上端には肩部が設けられ、上端開口部にはビード５０が形成されている。前記エアゾールバルブ１１は、ビードにクリンプされるマウンティングカップ５１と、そのマウンティングカップ５１によって保持されるハウジング５２と、ハウジング内に上下動自在に設けられるステムと、そのステムを常時上向きに付勢するバネとを有する公知のものを用いることができる。
【００１５】
前記ワンタッチキャップ１２は上面にガード１５を挿入するための挿入口１４を有するほかは、従来のものとほぼ同じものを使用することができる。このワンタッチキャップ１２は、外周面が容器本体１０の外周面と面一の円筒状であり、外周面の前面には押しボタン３０の前端を突出させる開口部が設けられている。また、ワンタッチキャップ１２の中央部の下端には、マウンティングカップ５１のフランジ部に弾力的に係止される係止突起が設けられており、エアゾール容器Ａに装着される。さらに中央部には押しボタン３０を収容するための凹部５４を有し、その凹部５４の側壁（内周面）には押しボタン３０が上下に摺動可能となるように、押しボタン３０の側壁に設けられた突起（図６の符合５３参照）と係合するスリット（図６の符号５３ａ）を有する。またワンタッチキャップ１２の左右の保護部天面に、一個ずつ対で前記挿入口１４ａ、１４ｂが設けられている。
【００１６】
押しボタン３０の前端には前記ノズル３２の基部が回動自在に取り付けられている。ノズル３２は前向きに伸ばした時に押しボタン３０内の通路と連通するように回転弁を介して押しボタン３０に連結されている。またノズル３２の先端には噴口２４が設けられている。さらに押しボタンの前端の両側から上部にかけてノズル３２の回動の上端を規制するストッパ１３が設けられている。ワンタッチキャップ１２は、たとえばポリエチレン、ポリプロピレン、ポリカーボネートなどで押しボタンと共に一体成形することができる。
【００１７】
前記ガード１５は薄い板をＵ字状ないしコ字状に折り曲げた形態を呈している。すなわち基部１６の両端から一対の足１７ａ、１７ｂがほぼ直角に曲がって連続しており、足の先端１５ａ、１５ｂの内面には鉤状の突起（返し部分）が形成されている。このガード１５は可撓性を有する樹脂で形成されており、前記ワンタッチキャップ１２と同じポリエチレン、ポリプロピレン、ポリカーボネートなどで形成するのが好ましい。それにより一対の足１７を摘むと、その先端１５ａ、１５ｂ同士が当接し、離すと元の形状に戻る。そのためピンセットとして使用することができる。
【００１８】
エアゾール容器Ａに充填される内容物としては、例えば有効成分として殺虫成分を配合した原液と、該原液を噴射させるための噴射剤とからなる。殺虫成分としては、蚊、ハエ、ゴキブリ、ムカデ、カメムシなどのガード１５によって摘むことができる害虫に対して有効なものである。
【００１９】
つぎに図２ａ〜２ｅを参照して図１に示したエアゾール製品の使用方法を説明する。始めにエアゾール製品を使用してない（未使用）場合を図２ａと図２ｂを用いて説明する。ガード１５の足１７ａ、１７ｂは挿入口１４ａと１４ｂに挿入され、前記ガード１５の基部１６が押しボタン３０の上部をまたいで配置される。前記ガードの基部１６はワンタッチキャップ１２の上面に接触するまで挿入されており、前記ガード１５はそれ以上押し込むことができない。そのため前記押しボタン３０の上部方向からの押し下げを防ぎ、意図に反する噴射を防止することができる。
【００２０】
この時、図２ｂに示すように前記ガード１５は足１７ａ、１７ｂの先端１５ａ、１５ｂの返し部分を前記ワンタッチキャップ１２の内周面に設けた係合孔２６に係合させることにより保持することができる。それによりエアゾール製品を倒立の状態で手に取った場合でもガード１５は脱落しないように保持させることができる。また前記ガード１５の両足１７ａ、１７ｂの幅を左右の挿入口１４ａと１４ｂの間隔と異なる寸法で形成することにより、前記ガード１５の可撓性を利用して固着保持させることができるように構成することもできる。
【００２１】
次にエアゾール製品を使用する場合を図２ｃ、図２ｄ、図２ｅを用いて説明する。使用時には前記ガードの基部１６と押しボタン３０の天面との間の空間に指を挿入してガードを上方へ引き上げる。さらに前記ガード１５の両足１７をつまんで、前記ガード１５の先端１５ａと１５ｂの返し部分を前記ワンタッチキャップ１２の係合孔２６から外して引き抜く。それにより前記押しボタン３０を自由に押し下げることができる。また、引き抜いた後のガード１５はエアゾール製品を使用する時の邪魔にならないよう前記ストッパ１３に設けた溝２５に引っ掛けておくことができる。それにより紛失などの心配がない。引っ掛ける手段としては図２ｃに示すように、前記ストッパ１３の両側面の溝２５に前記ガード１５の足の可撓性を利用して挟み込む。
【００２２】
エアゾール製品を噴射させた後は、前記ストッパ１３から前記ガード１５を取り外し、そのガード１５を虫の死骸を掃除するためのピンセットとして用いることができる。使用後は再びピンセットを保護部材１２の挿入口１４ａ、１４ｂに挿入し、押しボタン３０が誤って作動しないように保護することができる。また、虫の死骸をつまんだピンセットの先端（処理部）は、ピンセットを保護部材に装着している状態では保護部材内に収納されているため、処理部に手が触れることなく衛生的である。
【００２３】
図３に本発明のエアゾール製品の他の実施形態を示す。図３ａに示すエアゾール製品は図１のワンタッチキャップの代わりにレバー式の噴射部材４１を備えている。この噴射部材４１は、マウンティングカップ５１のフランジの周囲に弾力的に取り付けられる保護部材６３と、その保護部材６３の内部に収容され、保護部材６３の後端に枢軸ピン４６によって回動自在に連結されるトリガー式のレバー４０とを備えている。前記保護部材６３は図３ｂに示すように、マウンティングカップ５１のフランジに挿着する挿着部６４と、その挿着部の上方に左右一対で立ち上がる側壁６０と、左右の側壁６０の上端同士を連結する天井部６１とを有する。そして左右の側壁６０の内面には、ガード１５を摺動自在に収容するための溝６２が前後に延びるように設けられている。このエアゾール製品で用いられるガード１５は図１のものと実質的に同じである。このエアゾール製品では、未使用時にはガード１５はレバー４０のトリガー部４２の前側から前記溝６２に挿入されている。それにより、ガード１５の基部１６がレバー４０のトリガー部４２に他のものが接触や衝突するなどにより作動しないように保護をして、噴射を防いでいる。この時、前記ガード１５の両先端部１５ａ、１５ｂが左右の側壁６０の内部で、枢軸ピン４６に接触するまで押し込まれ、それ以上奥に入らない。このようにガード１５の両足１７ａ、１７ｂが前記レバー式噴射部材４１の内部に収まるように配置されるため、一旦使用した後、再度収納する場合もそれらの先端１５ａ、１５ｂ（処理部）に手が触れることがなく衛生的でかつ見た目も好ましい。
【００２４】
次に他の実施形態を図４ａ、図４ｂ、図４ｃを用いて説明する。図４に示すエアゾール製品は、図１で説明したピンセットタイプのガード１５の代わりに押しボタン３０の上部に押し下げを規制する板状のスライダ１９をガードとして用いている。そして保護部材１２にそのスライダ１９を前後にスライドさせるために、レール１８が設けられている。スライダ１９の後端には斜め上に向けて延びる摘み１９ａが設けられている。スライダ１９は未使用時には押しボタン３０の上部を覆い、誤作動しないように保護する。使用時には前記スライダ１９の摘み１９ａを持ち、前記レール１８上を滑らせて引き抜くことにより規制を解除する。なお押しボタン３０は一般的に用いられているものであり、特に限定されるものではない。
【００２５】
上記実施形態ではエアゾール容器内にたとえば殺虫剤が充填されている。そしてスライダ１９は虫の死骸を掃除するためのヘラとして用いることができる。使用後は再び誤作動防止用のガードとして、前述したように前記押しボタン３０の上部にスライドさせて配置することにより、接触や衝突するなどにより作動しないように保護をして、不要な噴射を防止することができる。またスライダの処理面を押しボタン側に設けることにより、製品保管時に処理面を使用者が触ることがなく衛生的である。
【００２６】
さらに他の実施形態を図５に示す。この実施形態は、図４に示したガードを図１のワンタッチキャップ一体型のエアゾール製品に組み合わせたものであり、未使用時（図５ａ）には前記ワンタッチキャップ１２から前記スライダ１９を手で容易に取り外すことができるように両者を切れ込み７０を介して一体に成形している。使用時（図５ｂ）には切れ込み７０に沿って切り取り、その後はスライドさせて随時、押しボタンを規制したり規制を解除したりして使用する。特に、未使用時には前記ガード１５が切り取られるため、使用か未使用かを判別することができる。
【００２７】
図６ａと図６ｂに、本発明のエアゾール製品のさらに他の実施の形態を説明する。図６に示すエアゾール製品は、図１で説明したエアゾール製品に従来の一般的な噴射部材を用いた場合の実施例である。図１の実施例と同様に未使用時には、ガード１５の足１７ａと１７ｂを挿入口１４ａ、１４ｂに挿入し、ガード１５の基部１６により押しボタン３０の上方向からの干渉を防ぎ、意図に反する噴射を防止することができる。また、使用時には前記ガード１５の両足部１７ａ、１７ｂをつまんで、前記ガード１５の先端１５ａと１５ｂの返し部分を前記ワンタッチキャップ１２の内周面に設けた係合孔２６から外し、前記基部１６を持って引き抜く。それにより前記押しボタン３０を自由に押し下げることができる。
【００２８】
図１のエアゾール製品は保護部材１２の外周面と容器本体１０の外周面とが面一の円筒状となっていたが、図７に示すエアゾール製品はマウンティングカップ５１のフランジの周囲に弾力的に取り付けられる小型の保護部材６３（ワンタッチキャップ）を備えている。前記保護部材６３は図７に示すように、マウンティングカップ５１に取り付ける挿着部６４と、その挿着部の上方に左右一対で立ち上がる側壁６０と、左右の側壁６０の上端同士を連結する天井部６１とを有する。そして左右の側壁６０には、ガード１５の足１７ａと１７ｂを収容する挿入口１４ａ、１４ｂがあり、ガード１５の基部１６は側壁６０の上面に接触するまで挿入されて、前記ガード１５はそれ以上押し込むことができない。そのため使用しない時には前述と同様に、意図に反する噴射を防止することができ、また使用時には前述と同様に保護部材６３から取り外して使用することができる。
【００２９】
図１のエアゾール製品ではエアゾール容器Ａ内に殺虫剤を充填し、前記ガード１５をピンセットとして利用しているが、エアゾール容器内に充填するエアゾール組成物に特に限定はなく、たとえば消臭や殺菌成分などを配合したエアゾール組成物を充填し、生ゴミなどの家庭用のエアゾール製品に用いることもできる。その場合も直接生ゴミに手が触れなくても作業できるように、ガードをピンセットとして使用することができる。また、噴射部材の操作を防ぐガードとして、ロングノズルやエクステンションノズルなどのチューブ状の形態にすることもできる。たとえばノズルの柔軟性を生かして前記保護部材の挿入口１４ａと１４ｂにノズル（チューブ部分）を湾曲させて挿入し、噴射部材の押し下げを規制するように構成することができる。またこの場合、使用時にはノズルの他端を挿入口から抜くことで簡単に押し下げの規制を解除することもできる。さらに、ワンタッチキャップ１２と押しボタン３０に貫通させた穴にノズル（チューブ部分）やノズル先端部を貫通させることでも押し下げを規制することもできる。
【００３０】
また上記ピンセット状のガードは、その先端部を容易に手で折り切ることができるように構成することができる。その場合は、汚れや破損で使用に支障をきたす先端部を随時切り離し使用することができる。また、図８ａに示すように前記ガード１５は板の両端を垂直に立ち上げ断面がコ字形になるように形成され、手で折り切るための切れ込みを備えた構成にすることができる。その場合は切れ込みに沿って１つ以上のピンセットに分解することができ、使用に応じて随時、切り取って使用できる。この時、上記ピンセットは燃えるゴミとしてすぐに出せる紙で製作された場合は切り取った小片の後始末に便利である。
【００３１】
また、図４、５のようにガードが板状のスライダの形態で構成された場合は、前記噴射部材の近辺に配置して噴射の方向を制限することができるが、さらに図８ｂに示すように、ガードに噴射形状の異なる噴口をいくつか設けることができる。その場合、その噴口を前記ノズル３２の先端にはめ込んで装着することにより、噴射パターンを変えることができる。また、このエアゾール製品が整髪用のムースなどの場合、前記ガードは図８ｃに示すようなクシの形態に構成することができる。この場合は図４ｂのように押しボタンの上部でスライドさせて押し下げを規制したり解除したりするガードの役割の他にクシとして使用することができる。また、このエアゾール製品がペイント用の場合、ガードは板状のスライダに形成され、あらかじめ文字や絵をくり抜いたり、カッターやはさみで加工できる紙などの部材で構成することができる。その場合はマスキング用の部材として利用でき、くり抜いた穴に噴射することによりその文字や絵を浮かび上がらせることができる。また、紙で形成されることにより、マスキング用の部材として加工が容易である。
【図面の簡単な説明】
【図１】図１ａおよび図１ｂはそれぞれ本発明のエアゾール製品の一実施形態を示す平面図および正面図であり、図１ｃは図１ａのエアゾール製品に用いるガードの正面図である。
【図２】図２ａおよび図２ｂはそれぞれ図１のエアゾール製品の未使用時の状態を示す平面図および側面図、図２ｃおよび図２ｄはそれぞれエアゾール製品の使用時の状態を示す平面図および正面図、図２ｅは図２ｃの部分拡大図である。
【図３】図３ａおよび図３ｂはそれぞれ本発明のエアゾール製品の一実施形態を示す側面断面図および正面図である。
【図４】図４ａは本発明のエアゾール製品の一実施形態を示す側面図。図４ｂは図４ａに用いるガードの側面図、図４ｃは図４ａの部分背面図を示す。
【図５】図５ａおよび図５ｂはそれぞれ本発明のエアゾール製品の未使用時と使用時の一実施形態を示す平面図、図５ｃは未使用時のエアゾール製品に用いるガードの平面図である。
【図６】図６ａは本発明のエアゾール製品の他の実施形態を示す斜視図、図６ｂはその部分的な断面図である。
【図７】図７ａは本発明のエアゾール製品のさらに他の実施形態を示す斜視図、図７ｂはその断面図である。
【図８】図８ａは本発明のエアゾール製品に用いるガードの概略図である。図８ｂは本発明のエアゾール製品に用いるガードの概略図である。図８ｃは本発明のエアゾール製品に用いるガードの平面図である。
【符号の説明】
Ａ　　エアゾール容器
１０　容器本体
１１　エアゾールバルブ
１２　ワンタッチキャップ
１３　ストッパ
１４ａ　挿入口
１４ｂ　挿入口
１５　ガード
１５ａ　先端
１５ｂ　先端
１６　基部
１７ａ　足
１７ｂ　足
１８　レール
１９　スライダ
１９ａ　摘み
２４　噴口
２５　溝
２６　係合孔
３０　押しボタン
３２　ノズル
４０　レバー
４１　レバー式噴射部材
４２　トリガー部
４６　枢軸ピン
５０　ビード
５１　マウンティングカップ
５２　ハウジング
５３　突起
５３ａ　スリット
５４　凹部
６０　側壁
６１　天井部
６２　溝
６３　保護部材
６４　挿着部
７０　切れ込み
【図１】
2004113994.tif 000003
【図２】
2004113994.tif 000004
【図３】
2004113994.tif 000005
【図４】
2004113994.tif 000006
【図５】
2004113994.tif 000007
【図６】
2004113994.tif 000008
【図７】
2004113994.tif 000009
【図８】
2004113994.tif 000010